(57)【要約】【課題】ブラウザ共有開始側の端末装置と相手側端末装置との間でマウスポインタ画像も含めてブラウザ共有を行うことができる通信端末装置を提供する。【解決手段】通信相手先との間で画面情報の共有を行う通信端末装置において、前記画面情報を表示する表示手段と、前記表示手段に表示された画面情報の所定位置を指定するポインタの画像を選択するポインタ画像選択手段と、前記通信相手先と画面情報の共有を開始する場合に前記ポインタ画像選択手段によって選択されたポインタ画像に関する情報を前記通信相手先に送信するように制御する制御手段と、を備える。【選択図】図１
2013198018.tif 000002
【特許請求の範囲】
【請求項１】
通信相手先との間で画面情報の共有を行う通信端末装置において、
前記画面情報を表示する表示手段と、
前記表示手段に表示された画面情報の所定位置を指定するポインタの画像を選択するポインタ画像選択手段と、
前記通信相手先と画面情報の共有を開始する場合に前記ポインタ画像選択手段によって選択されたポインタ画像に関する情報を前記通信相手先に送信するように制御する制御手段と、
を備えることを特徴とする通信端末装置。
【請求項２】
前記ポインタの画像を前記通信相手先との間で共有する共有モードと前記ポインタの画像を各通信端末装置でカスタマイズ可能な通常モードのいずれかを設定する設定手段を更に備え、
前記制御手段は、前記設定手段により共有モードが設定された場合に、前記ポインタ画像選択手段によって選択されたポインタ画像に関する情報を送信するように制御することを特徴とする請求項１に記載の通信端末装置。
【請求項３】
前記制御手段は、前記ポインタ画像に関する情報を前記通信相手先から受信した場合に、前記受信したポインタの画像に関する情報に基づいてポインタの画像を選択するように制御することを特徴とする請求項１又は２に記載の通信端末装置。
【発明の詳細な説明】
【技術分野】
【０００１】
本発明は、ＩＰ電話網等に接続されて音声及び映像の送受信を行う通信端末装置に関し、特に、通信相手先の通信端末装置との間で同一のデータを表示するとともに、同一のマウスポインタを表示することができる通信端末装置に関するものである。
【背景技術】
【０００２】
近年、一般電話回線以外に、ＩＰ電話網やインターネット等の広域通信網に接続して、データ通信サービス等の様々なサービスを受けることが可能な電話装置が普及している。このような電話装置に対するサービスとして、テレビ電話サービスが実用化されている。テレビ電話サービスの利用者は、カメラ機能及び画像送信機能を備えたテレビ電話装置を通信回線に接続することにより、撮影された映像の送受信を行いながら音声通話を行うことが可能である。
【０００３】
また、音声通話中やテレビ電話中に通話相手先との間で、各通話者によって作成されたメモ帳共有、カメラ撮影以外から取得された画像共有、インターネットリソースのブラウザ共有等といった各種アプリケーション或いは各種データを共有する機能を備えたテレビ電話装置も提供されている。
【０００４】
例えば、下記特許文献１（特開２００４？２２８８０５号公報）に開示されたテレビ電話装置では、テレビ電話の通話中に会話に関連する特定の画像データ等を会話と同時進行でマルチタスクによってネットワーク等を介して取得し、その画像データを通話中の相手局に送信するように構成している。
【０００５】
また、例えば、下記特許文献２（特開２０１０？１５２７７２号公報）に開示された情報処理装置では、Ｗｅｂ画面共有・統合サーバの機能を備え、共有端末装置で共有される共有画面情報にイベント制御スクリプト、イベント送信スクリプト、イベント受信スクリプトを組み込み、これらスクリプトが組み込まれた共有画面（組み込み共有画面情報）を各々の共有端末装置に対して送信するように構成している。
【先行技術文献】
【特許文献】
【０００６】
【特許文献１】特開２００４？２２８８０５号公報
【特許文献２】特開２０１０？１５２７７２号公報
【発明の概要】
【発明が解決しようとする課題】
【０００７】
ところで、上記特許文献１や２の発明のように、従来のテレビ電話装置におけるブラウザ共有機能においては、各装置のユーザが好みに応じてマウスポインタ画像をカスタマイズしている場合、図３に示すように、両端末のマウスポインタが指し示す表示画面上の座標位置が一致しないことがあり、指し示す内容がずれたりするなどしてブラウザの共有が正確に行えずに円滑なコミュニケーションの妨げとなることが懸念される。
【０００８】
さらに、上記特許文献２の発明のように、各端末への共有画面を提供する情報処理装置としての統合用サーバを設けることは、大規模なシステムを構築する必要があるなどコスト高となり、テレビ電話装置のような家庭向け電気機器を使用している一般ユーザにとっ
ては必ずしも使い勝手の良いサービスとはいえない。
【０００９】
本発明は、上記の問題点を解消することを課題とするものであり、ブラウザ共有開始側の端末装置において、共有機能開始時に相手側端末装置に対して最初にマウスポインタ画像の情報を送信することにより、両端末装置間でマウスポインタ画像も含めてブラウザ共有を行うことができる通信端末装置を提供することを目的とするものである。
【課題を解決するための手段】
【００１０】
前記課題を解決するために、本発明の通信端末装置は、通信相手先との間で画面情報の共有を行う通信端末装置であって、前記画面情報を表示する表示手段と、前記表示手段に表示された画面情報の所定位置を指定するポインタの画像を選択するポインタ画像選択手段と、前記通信相手先と画面情報の共有を開始する場合に前記ポインタ画像選択手段によって選択されたポインタ画像に関する情報を前記通信相手先に送信するように制御する制御手段と、を備えることを特徴とする。
【００１１】
また、本発明の通信端末装置の一態様は、前記ポインタの画像を前記通信相手先との間で共有する共有モードと前記ポインタの画像を各通信端末装置でカスタマイズ可能な通常モードのいずれかを設定する設定手段を更に備え、前記制御手段は、前記設定手段により共有モードが設定された場合に、前記ポインタ画像選択手段によって選択されたポインタ画像に関する情報を送信するように制御することを特徴とする。
【００１２】
また、本発明の通信端末装置の一態様は、前記制御手段は、前記ポインタ画像に関する情報を前記通信相手先から受信した場合に、前記受信したポインタの画像に関する情報に基づいてポインタの画像を選択するように制御することを特徴とする。
【発明の効果】
【００１３】
本発明は、以下に説明する優れた効果を発揮する。すなわち、本発明の通信端末装置は、画面情報の共有開始時にユーザ側の通信端末装置で選択したポインタ画像の情報を通話相手先の通信端末装置に送信する。これにより、通信相手先の通信端末装置の画面情報においてもユーザ側の通信端末装置と同じポインタ画像を反映させることができるので、両端末装置間でマウスポインタ画像を完全に一致させることにより、マウスポインタの動作やマウスポインタが指し示す内容を通信相手先と正確に共有することが可能となり、円滑なコミュニケーションを実現することができる。
【００１４】
また、本発明の通信端末装置の一態様によれば、ポインタの画像を通信相手先との間で共有する共有モードとポインタの画像を各通信端末装置でカスタマイズ可能な通常モードのいずれかを設定する設定手段を設け、制御手段は、前記設定手段により共有モードが設定された場合に、前記ポインタ画像選択手段によって選択されたポインタ画像に関する情報を送信する。これにより、ユーザ側の通信端末装置において共有モードを選択すると、通話相手先の通信端末装置の画面情報においてもユーザ側の通信端末装置と同じポインタ画像を反映させることができるので、両端末装置間でマウスポインタ画像を完全に一致させることにより、マウスポインタの動作やマウスポインタが指し示す内容を通信相手先と正確に共有することが可能となり、ユーザにとって共有機能における利便性の高い通信端末装置を提供することが可能となる。
【００１５】
また、本発明の通信端末装置の一態様によれば、ユーザ側の通信端末装置の画面情報においても通話相手先の通信端末装置の画面情報と同じポインタ画像を反映させる。これにより、マウスポインタの動作やマウスポインタが指し示す内容を通信相手先と正確に共有することが可能となり、円滑なコミュニケーションを実現することができる。また、ユーザにとって共有機能における利便性の高い通信端末装置を提供することが可能となる。
【図面の簡単な説明】
【００１６】
【図１】本発明の実施例に係るテレビ電話装置を含む電話システムの構成を示すブロック図である。
【図２】本発明の実施例に係るテレビ電話装置の構成を示す内部ブロック図である。
【図３】従来技術に係るテレビ電話装置同士がブラウザ共有を行う制御を示したシーケンス図である。
【図４】本発明の実施例に係るテレビ電話装置同士がブラウザ共有を行う制御を示したシーケンス図である。
【図５】本発明の実施例に係るブラウザ共有処理におけるユーザ側のテレビ電話装置１００の動作を示すフローチャートである。
【図６】本発明の実施例に係るブラウザ共有処理における通話相手先のテレビ電話装置１００’の動作を示すフローチャートである。
【発明を実施するための形態】
【００１７】
以下、本発明の具体例を実施例及び図面を用いて詳細に説明する。但し、以下に示す実施形態は、本発明の技術的思想を具体化するためのテレビ電話装置を例示するものであって、本発明をこのテレビ電話装置に特定することを意図するものではなく、特許請求の範囲に含まれるその他の実施形態の通信端末装置にも等しく適応し得るものである。
【実施例】
【００１８】
図１は、本発明の実施例に係るテレビ電話装置を含む電話システムの構成を示すブロック図である。本システムは少なくとも、テレビ電話装置１００、有線ＬＡＮ１０１、ＩＰ電話ルータ１０２、ブロードバンドルータ１０３、ゲートウェイ１０４、ＩＰ電話網１０５、インターネット１０６、ＰＳＴＮ網１０７（＝Public Switched Telephone Network：公衆電話交換網）、加入者電話装置１０８、及びホームゲートウェイ１０９（ＨＧＷ＝Home Gateway）を含むように構成されている。
【００１９】
本発明のテレビ電話装置１００はホームゲートウェイ１０９を介して有線ＬＡＮ１０１に接続され、有線ＬＡＮ１０１は、ＩＰ電話ルータ１０２を介してＩＰ通信網１０５に、ブロードバンドルータ１０３を介してインターネット１０６に、ゲートウェイ１０４を介してＰＳＴＮ網１０７にそれぞれ接続されることにより、通信可能である。なお、テレビ電話装置１００の内部構造の詳細については後述する。
【００２０】
有線ＬＡＮ１０１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００２１】
ＩＰ電話ルータ１０２、及びブロードバンドルータ１０３は、複数のＩＰネットワークを相互接続するためのネットワーク中継装置である。具体的には、ＯＳＩ（Open Systems
Interconnection）参照モデルでいうネットワーク層（第３層）やトランスポート層（第４層）の一部のプロトコルを解析して転送を行う。
【００２２】
本実施例では、ＩＰ電話ルータ１０２は有線ＬＡＮ１０１とＩＰ電話網１０５との二つのＩＰネットワークを相互に接続する役割を持つ。またブロードバンドルータ１０３は、有線ＬＡＮ１０１とインターネット１０６との二つのＩＰネットワークを相互に接続する役割を持つ。
【００２３】
ゲートウェイ１０４は、プロトコル体系が異なるネットワーク間を相互接続するためのプロトコル変換器である。ゲートウェイ１０４は、例えば、有線ＬＡＮ１０１とＰＳＴＮ
網１０７とを接続し、ＳＩＰ等のシグナリングプロトコルを用いてシグナル変換を行うことにより、両ネットワーク間での通信を可能とする。
【００２４】
ＩＰ電話網１０５は、電話網の一部もしくは全てにＶｏＩＰ（Voice over Internet Protocol）技術を利用した通信網であり、用いる通信回線としてはＦＴＴＨ（Fiber To The
Home）やＡＤＳＬ（Asymmetric Digital Subscriber Line）等の、いわゆるブロードバンド回線が利用される。なお、ＩＰ電話網１０５にはホームゲートウェイ１０９’を介してテレビ電話装置１００’が複数接続されているが、図１では簡単のため１台のみしか図示していない。
【００２５】
なおＶｏＩＰとは、音声を各種符号化方式で圧縮してパケットに分割し、ＩＰネットワークでリアルタイム伝送する技術である。これによりＩＰ電話網１０５は音声通話サービスの他、画像の送受信を行うテレビ電話サービス等が提供可能となる。
【００２６】
インターネット１０６は、通信プロトコルによるネットワークを相互接続して構築された広域通信網である。大小様々なコンピュータネットワークを相互に連結させて、国際的な通信ネットワークが構築されている。通信プロトコルとしては主に、ＴＣＰ／ＩＰが標準的なプロトコルとして採用されている。
【００２７】
ＰＳＴＮ網１０７は、一般の加入者電話回線ネットワークである。末端に加入者電話装置１０８を接続し、回線交換方式で通信相手に接続して音声通話を行うのに用いられる。加入者電話装置１０８は、電話加入者がＰＳＴＮ網１０７を用いてＰＳＴＮ網に接続された他の加入者電話装置や有線ＬＡＮ１０１やＩＰ電話網１０５に接続されたテレビ電話装置と音声通話を行うための電話装置である。
【００２８】
ホームゲートウェイ１０９は、有線ＬＡＮ１０１又はＩＰ電話網１０５と、テレビ電話装置１００又は１００’との間に設置する宅内機器であり、相互に接続する役割を持つ。
【００２９】
次に、図２を参照して本実施例のテレビ電話装置１００について説明する。なお、図２は本発明の実施例に係るテレビ電話装置１００の構成を示す内部ブロック図である。テレビ電話装置１００は、制御部１１０、通信部１２０、音声処理部１３０、映像及び画像処理部１４０、操作部１５０、記録部１６０、時計部１７０、電源部１８０を備えて構成される。
【００３０】
制御部１１０は、ＣＰＵ、ＲＡＭ、ＲＯＭを備えて構成されるマイクロプロセッサであり、ＲＡＭやＲＯＭに記憶された制御プログラムをＣＰＵにおいて実行することにより、以下に説明する各部の動作を制御・統括する。
【００３１】
通信部１２０は、テレビ電話装置１００が他のテレビ電話装置（図１では、テレビ電話装置１００’）と通信を行う際の通信制御を行うためのものである。これには、シグナリング、データ送受信、データ共有処理に関わる制御が含まれる。
【００３２】
シグナリングには通信セッションの生成、確立、切断の処理が含まれる。具体的には、ユーザが操作部１５０を操作して電話番号等を入力した際に、ＩＰ電話網１０５に接続されたＳＩＰサーバ（図示せず）等に接続して通話相手先のテレビ電話装置１００’の位置情報を入手するとともに、通話相手先のテレビ電話装置１００’を呼出し、通話相手先が応答した場合に通信経路を確立することと、通話が終了した際にセッション切断メッセージ等を送信することによってセッションを終了することが含まれる。
【００３３】
データの送受信に関わる制御には、音声データ、映像データ、画像データをパケットに
分割するＩＰパケット化とＩＰパケットの送信、有線ＬＡＮ１０１を介して受信したパケットを、正しい順序に並べ替えるとともに実際のデータ部分を抽出して組立てるＩＰパケットの受信及び組立てとが含まれる。
【００３４】
データをパケットとして送信する際には、所定データ長に分割された各データに送信元、宛先、順序、送信時刻、用途（ＩＰ電話の音声データ、映像データ、画像データ）を示すヘッダを付与する。また、受信したパケットは、ヘッダ部分を参照することによって、音声、映像、画像ごとに正しい順序で組立てられてゆき、音声処理部１３０、映像及び画像処理部１４０に出力される。
【００３５】
音声処理部１３０は、マイク１３１から入力された音声をＡ／Ｄ変換し、次いで音声コーデックによって圧縮し、圧縮されたデータを通信部１２０に出力する。また、通信部１２０において組立てられた音声データを音声コーデックによって伸張し、次いでＤ／Ａ変換してスピーカ１３２から出力する。
【００３６】
映像及び画像処理部１４０は、映像コーデックを備えており、カメラ１４１において撮影された映像を圧縮し、圧縮されたデータを通信部１２０に出力する。また、通信部１２０において組立てられた映像データを伸張する。また、映像及び画像処理部１４０は、画像コーデックを備えており、通信部１２０において組立てられた画像データを伸張し、制御部１１０のＲＡＭや記録部１６０を構成するメモリ１６１、或いはフラッシュメモリ１６２に展開する。
【００３７】
また、映像及び画像処理部１４０は表示制御機能を備えており、カメラ１４１から出力された映像データ及び制御部１１０のＲＡＭや記録部１６０を構成するメモリ１６１、或いはフラッシュメモリ１６２に展開された画像データを表示部１４２に表示可能な所定の態様に変換（拡大、縮小、画像を並べて配置する等）して表示部１４２のビデオメモリ（図示せず）上に展開し、表示部１４２に表示させる。
【００３８】
マイク１３１において集音された音声は、音声信号に変換され、音声処理部１３０に出力される。また、音声処理部１３０から出力された音声信号はスピーカ１３２において音声に変換され出力される。マイク１３１とスピーカ１３２は、テレビ電話装置１００に固定的に設けられていてもよいが、ヘッドセットであってもよい。ヘッドセットであれば、手でマイク１３１を持たなくてよいので、利便性が高まる。
【００３９】
カメラ１４１は、テレビ電話装置１００の通話中にその前にある被写体を撮影するためのものである。通常、テレビ電話装置１００の正面にはユーザが位置することになるので、カメラ１４１においてはユーザが被写体として撮影される。撮影された映像は、映像及び画像処理部１４０に出力される。
【００４０】
表示部１４２は、液晶ディスプレイユニットであり、映像及び画像処理部１４０の表示制御機能によって表示部１４２のビデオメモリ上に展開された映像や画像を表示する。また、表示部１４２は、表示された映像や画像の所定位置を指定するマウスポインタ画像を表示する。
【００４１】
操作部１５０は、表示部１４２に一体に形成されたタッチパネルの形をとる。ユーザは表示部１４２に表示された入力用のアイコンの部位に接触することで入力操作を行う。例えば、電話をかける場合に、操作部１５０に電話番号を入力するためのテンキーを表示し、ユーザはそのテンキーの該当する部分を指で押すことにより、番号を入力することができる。
【００４２】
また、操作部１５０は、表示部１４２に表示されるマウスポインタ画像をユーザが好みに応じてカスタマイズできる通常モードと、通信相手先のテレビ電話装置１００’と同じマウスポインタ画像に設定する共有モードとのいずれかを設定するためのユーザ指示を受け付ける。なお、操作部１５０は、上記に限られず、テレビ電話装置１００を構成する筐体の一部分に形成されたキーやボタンであってもよい。
【００４３】
記録部１６０は、テレビ電話装置１００に内蔵されたメモリ１６１、或いはフラッシュメモリ１６２のように接続／取外しが可能なメモリで構成される。記録部１６０は、画像データ、テキストデータ、ブラウザ情報、カスタマイズ用の複数種類のマウスポインタ画像等のデータを記憶している。これらのデータは、ユーザの指示があった場合に、被共有データとして、通信相手先のテレビ電話装置１００’或いは、インターネット１０６に接続されたサーバに送信される。また、通信相手先のテレビ電話装置１００’ から送信されてきた被共有データやインターネット１０６に接続されたサーバから取得した被共有データを保存する。
【００４４】
また、記録部１６０には、通信相手先のテレビ電話装置１００’或いは、インターネット１０６に接続されたサーバに送信する被共有データとして、ユーザによって選択されたマウスポインタ画像のマウスデータを記憶している。
【００４５】
さらに、記録部１６０には、複数の通信相手先の電話番号、氏名、共有データの共有可否情報を関連付けたアドレス帳が記憶される。共有可否情報は、操作部１５０によってユーザが予め設定するものであってもよいし、「共有不可能」な通信相手先として登録されていても、一度共有を許可した場合には「共有可能」な通信相手先として設定が変更されるようにしてもよい。
【００４６】
ここで、データの共有とは、画像データ、メモ帳等のテキストデータ、ブラウザ等のアプリケーション情報といった画面情報および当該画面情報に基づいて表示された画面上の所定位置を指定するマウスポインタ画像についてユーザが指定したマウスデータ（以下、被共有データという）を通話相手先のテレビ電話装置１００’に送信し、テレビ電話装置１００’において被共有データを受信し、受信した被共有データに基づいて画面情報を表示するとともに被共有データに含まれる操作情報に基づいて当該画面情報に対する操作を実行すること、或いは、通話相手先のテレビ電話装置１００’から送信されてきた被共有データをテレビ電話装置１００において受信し、受信した被共有データに基づいて画面情報を表示するとともに被共有データに含まれるマウスデータに基づいてマウスポインタ画像を表示することによって、ユーザが使用するテレビ電話装置１００においても通話相手先のテレビ電話装置１００’においても同様の画像データ、テキストデータ、アプリケーションを、同一のマウスポインタ画像とともに表示部１４２において参照できる状態のことをいう。
【００４７】
さらに、データの共有には、テレビ電話装置１００と通話相手先のテレビ電話装置１００’の一対一の通信における被共有データの送受信に加えて、インターネット１０６に接続されたサーバを介して被共有データを送受信、或いは操作するようなものも含まれる。例えば、テレビ電話装置１００からインターネット１０６に接続されたサーバに被共有データを送信して被共有データを保存し、通話相手先のテレビ電話装置１００’から上述のサーバにアクセスすることによって被共有データを受信、或いは操作できるようにしてもよい。さらには、通話相手先のテレビ電話装置１００’から上述のサーバに送信された被共有データをこちらのテレビ電話装置１００からアクセスして受信或いは操作できるようにすることによって共有するようにしてもよい。
【００４８】
また、共有開始操作とは、テレビ電話装置１００の記憶部１６０にある被共有データ、
或いは制御部のＲＡＭ等に一時的に記憶されている被共有データを通話相手先のテレビ電話装置１００’に送信する際に、通話相手先のテレビ電話装置１００’に対して被共有データの受信要求を送信することをいう。また、被共有データが通話相手先のテレビ電話装置１００’にあって、この被共有データをテレビ電話装置１００’に送信してほしい旨（送信要求）を通話相手先のテレビ電話装置１００’に対して送信することをいう。
【００４９】
さらに、共有開始操作には、インターネット１０６に接続されたサーバ（図示せず）を介してデータの共有を行う場合、テレビ電話装置１００にある被共有データをサーバに送信すると共に、通話相手先のテレビ電話装置１００’に対して被共有データの受信要求を送信することが含まれる。
【００５０】
また、共有開始操作には、被共有データが通話相手先のテレビ電話装置１００’にあって、この被共有データをインターネット１０６に接続されたサーバに送信するよう通話相手先のテレビ電話装置１００’に対して要求することも含まれる。
【００５１】
時計部１７０は、現在時刻を計時するための回路であり、例えば所定の周波数による発振出力を行う水晶振動子を用いて計時を行う。また時計部１７０は、時刻情報だけではなく、現在の月日や曜日といった暦に関連する暦情報の管理を行うことも可能である。
【００５２】
電源部１８０は、ＡＣアダプタ１８１から所定の直流電圧を受けて、テレビ電話装置１００の各部構成要素に電源を供給する。
【００５３】
制御部１１０によるデータの共有処理に関わる制御では、前述した共有開始操作を行うと、ユーザがテレビ電話装置１００の表示部１４２に表示させた画像データ、テキストデータ、ブラウザ情報等のデータをメモリやＷＥＢサーバから取得するために用いられるアドレス情報やＵＲＬデータといった画面情報を被共有データとして記録部１６０に保存する。さらに、テレビ電話装置１００の表示部１４２に表示させた画像データ、テキストデータ、ブラウザ情報（ＷＥＢコンテンツページ）の所定位置を指定するマウスポインタ画像をカスタマイズするためにユーザが操作部１５０を介して選択したマウスポインタ画像のマウスデータを被共有データとして記録部１６０に保存する。
【００５４】
そして、共有開始操作として、ユーザの指示に基づいて通話相手先のテレビ電話装置１００’に共有要求を通知すること、つまり、被共有データを通話相手先のテレビ電話装置１００’に送信したいときにはテレビ電話装置１００’に対して被共有データの受信要求を送信し、被共有データを通話相手先のテレビ電話装置１００’から送信してもらいたいときにはテレビ電話装置１００’に対して被共有データの送信要求を送信する。
【００５５】
そして、上述の受信要求に対して通話相手先のテレビ電話装置１００’から被共有データの共有許可を受信した際には、被共有データとして予め記録部１６０に保存されているＷＥＢコンテンツページのＵＲＬデータといった画面情報およびマウスポインタ画像を指定するマウスデータを記録部１６０から読み込んで通話相手先のテレビ電話装置１００’に送信する。
【００５６】
また、上述の送信要求に対して通話相手先のテレビ電話装置１００’から被共有データを受信した際には、或いは、テレビ電話装置１００から送信した上述の被共有データの共有許可に応じて通話相手先のテレビ電話装置１００’から送信されてきた被共有データをテレビ電話装置１００において受信した際には、受信した被共有データに含まれている画面情報であるＵＲＬデータに基づき、表示部１４２上に起動させたブラウザにＵＲＬサイトのＷＥＢコンテンツページを表示させる。さらに、受信した被共有データに含まれているマウスデータに基づき、表示部１４２に表示させるマウスポインタ画像を記録部１６０
から選択して表示し、ユーザが使用するテレビ電話装置１００においても通話相手先のテレビ電話装置１００’においても同様のＷＥＢコンテンツページを、同一のマウスポインタ画像とともに各表示部１４２、１４２’において参照できる状態にする。
【００５７】
次に、図３〜図６を参照して、本実施例のテレビ電話装置１００、１００’におけるブラウザ共有処理について説明する。なお、図３は、従来技術に係るテレビ電話装置同士がブラウザ共有を行う制御を示したシーケンス図であり、図４は、本発明の実施例に係るテレビ電話装置同士がブラウザ共有を行う制御を示したシーケンス図である。図５は、本発明の実施例に係るブラウザ共有処理におけるユーザ側のテレビ電話装置１００の動作を示すフローチャートであり、図６は、本発明の実施例に係るブラウザ共有処理における通話相手先のテレビ電話装置１００’の動作を示すフローチャートである。
【００５８】
まず、図３において、従来技術に係るテレビ電話装置同士がブラウザ共有を行う制御について説明する。ステップＳ３０１において、ユーザがテレビ電話装置（端末Ａ）１００の操作部１５０を操作してＩＰ電話網１０５に接続された通話相手先のテレビ電話装置（端末Ｂ）１００’の電話番号を入力する。或いは、ユーザは操作部１５０を操作して記録部１６０に記憶されたアドレス帳を呼出して通話相手先を選択する。すると、通信部１２０は、入力された電話番号、或いは選択された通話相手先の情報に基づいて通話相手先を探し、通話相手先のテレビ電話装置１００’を呼出し、ステップＳ３０２において、通話相手が応答したならば通信セッションが確立され、通話が開始される。通話の開始は、ユーザ側のテレビ電話装置１００から行ってもよいし、反対に、通話相手先のテレビ電話装置１００’がユーザ側のテレビ電話装置１００を呼出し、ユーザがその呼出しに応答することで通信セッションが確立され、通話が開始されるようにしてもよい。
【００５９】
ステップＳ３０３において、テレビ電話装置１００と通話相手先のテレビ電話装置１００’との間で音声、映像の送受信が行われる。具体的には、マイク１３１から入力された音声は音声処理部１３０においてＡ／Ｄ変換されてから音声コーデックによって圧縮される。カメラ１４１において撮影された映像は、映像及び画像処理部１４０が備えた表示制御機能によって表示部１４２に表示されるとともに、映像及び画像処理部１４０が備えた映像コーデックによって圧縮される。さらに圧縮された音声データ及び映像データはそれぞれ通信部１２０においてＩＰパケットに分割され、有線ＬＡＮ１０１に送信され、送信された音声データ及び映像データは、通話相手先のテレビ電話装置１００’において再生、表示される。
【００６０】
一方、通話相手先のテレビ電話装置１００’からＩＰパケットとして送信されてきた音声データ及び映像データをユーザ側のテレビ電話装置１００において受信すると、通信部１２０はそれぞれＩＰパケットを音声データ、映像データ等種類毎に分け、それぞれ分割されたパケットから実際のデータ部分を抽出し、順番に組立てる。次いで、音声データは音声処理部１３０の音声コーデックにおいて伸張され、次いでＤ／Ａ変換されてスピーカ１３２に出力され、音声として出力される。また、映像データは映像及び画像処理部１４０が備える映像コーデックによって伸張され、表示制御機能によって表示部１４２にて表示可能な態様に編集されて表示部１４２に表示される。
【００６１】
次に、ユーザがテレビ電話装置１００の表示部１４２上にＷＥＢブラウザを起動させ、操作部１５０を操作してＵＲＬを入力してインターネット１０６に接続されたＷＥＢサーバ（図示せず）に対してＷＥＢページのリクエストを行う。テレビ電話装置１００はＷＥＢサーバから所望のＷＥＢページのデータを取得し、表示部１４２上のブラウザにＷＥＢページを表示させ、ユーザ側のテレビ電話装置１００においてカスタマイズされたマウスポインタ画像を座標位置（Ｘ，Ｙ）に表示させる。このとき、所望のＷＥＢページを表示させるために入力されたＵＲＬデータを記録部１６０に保存する。
【００６２】
上述のような通常のブラウザ動作が実行された後に、ステップＳ３０４において、ユーザの指示に基づいて共有開始操作が行われると、テレビ電話装置１００は、ホームゲートウェイ１０９を介してテレビ電話装置１００’に対して被共有データの受信要求（ＵＰＤＡＴＥ）を送信し、ステップＳ３０５において、この受信要求に対して通話相手先のテレビ電話装置１００’からホームゲートウェイ１０９’を介して被共有データの共有許可（２００  ＯＫ）を受信する。
【００６３】
そして、ステップＳ３０６において、テレビ電話装置１００は、記録部１６０に保存されているＷＥＢコンテンツページのＵＲＬデータを読み込んで通話相手先のテレビ電話装置１００’に送信する。
【００６４】
通話相手先のテレビ電話装置１００’は、受信したＵＲＬデータに基づき、表示部１４２’上に起動させたブラウザにＵＲＬサイトのＷＥＢコンテンツページを表示させ、さらに通話相手先のテレビ電話装置１００’においてカスタマイズされたマウスポインタ画像を座標位置（Ｘ’，Ｙ’）に表示させる。ここで、各テレビ電話装置１００、１００’においてカスタマイズされたマウスポインタ画像を表示した場合に、それぞれのマウスポインタが指し示す座標位置が一致しない（Ｘ≠Ｘ’および／またはＹ≠Ｙ’）ことになると、ユーザ側と通話相手先においてブラウザの共有が正確に行えずに円滑なコミュニケーションが妨げられることになる。
【００６５】
そこで、本発明の実施例では、図４に示すように、図３と同じくステップＳ４０１〜Ｓ４０３において通話が開始されて通常のブラウザ動作が実行された後に、ステップＳ４０４において、ユーザの指示に基づいて共有開始操作が行われると、テレビ電話装置１００は、ホームゲートウェイ１０９を介してテレビ電話装置１００’に対して被共有データの受信要求（ＵＰＤＡＴＥ）を送信し、ステップＳ４０５において、この受信要求に対して通話相手先のテレビ電話装置１００’からホームゲートウェイ１０９’を介して被共有データの共有許可（２００  ＯＫ）を受信する。
【００６６】
そして、ステップＳ４０６において、テレビ電話装置１００は、記録部１６０に保存されているユーザが操作部１５０を介して選択したマウスポインタ画像のマウスデータを読み込んで通話相手先のテレビ電話装置１００’に送信する。
【００６７】
そして、ステップＳ４０７において、テレビ電話装置１００は、記録部１６０に保存されているＷＥＢコンテンツページのＵＲＬデータを読み込んで通話相手先のテレビ電話装置１００’に送信する。
【００６８】
通話相手先のテレビ電話装置１００’は、受信したＵＲＬデータに基づき、表示部１４２’上に起動させたブラウザにＵＲＬサイトのＷＥＢコンテンツページを表示させ、さらに受信したマウスデータに基づき、表示部１４２’に表示させるマウスポインタ画像を記録部１６０’からユーザ側のテレビ電話装置１００と同じく選択して座標位置（Ｘ，Ｙ）に表示させる。これにより、ユーザが使用するテレビ電話装置１００においても通話相手先のテレビ電話装置１００’においても同様のＷＥＢコンテンツページを、同一のマウスポインタ画像とともに各表示部１４２、１４２’に表示することができる。
【００６９】
次に、図５に本発明の実施例に係るブラウザ共有処理におけるユーザ側のテレビ電話装置１００の動作を示す。
【００７０】
先ず、ステップＳ５０１において、制御部１１０はユーザが操作部１５０の操作に基づいて、ＷＥＢコンテンツページを表示させるために初期化されたブラウザを起動させ、ス
テップＳ５０２において、ユーザが操作部１５０を操作してＵＲＬを入力したか否かを判定する。
【００７１】
ステップＳ５０２において、制御部１１０はＵＲＬが入力されたと判定した場合、ステップＳ５０３の処理に進み、制御部１１０は通常のブラウザ動作を実行する。すなわち、入力されたＵＲＬ情報に基づいてインターネット１０６に接続されたＷＥＢサーバに対してＷＥＢページのリクエストを行い、ＷＥＢサーバから所望のＷＥＢページのデータを取得して表示部１４２上のブラウザにＷＥＢページを表示させる。また、このとき、制御部１１０は所望のＷＥＢページを表示させるために入力されたＵＲＬ情報を記録部１６０に保存する。
【００７２】
次に、制御部１１０は、ステップＳ５０４において、ユーザが表示部１４２上のブラウザに表示されたＷＥＢページに対して操作部１５０を介して操作を行ったか否かを判定する。制御部１１０は操作が行われたと判定した場合、ステップＳ５０５に進み、制御部１１０は操作が行われないと判定した場合、ブラウザの共有処理を終了する。
【００７３】
ステップＳ５０５では、制御部１１０は、ユーザの指示に基づいて共有開始操作が行われたか否かを判定する。ステップＳ５０５において、制御部１１０は共有開始操作が行われたと判定した場合、ステップＳ５０６の処理に進み、共有開始操作が行われなかったと判定した場合、ステップＳ５０３の処理に戻る。
【００７４】
そして、ステップＳ５０６において、制御部１１０はテレビ電話装置１００’に対して被共有データの受信要求を送信して共有セッション接続を試みる。ステップＳ５０７において、制御部１１０は共有セッション接続が成功したか否か判定する。この条件としては、送信した受信要求に対して通話相手先のテレビ電話装置１００’から被共有データの共有許可を受信した場合に共有セッション接続が成功したと判定する。共有セッション接続が失敗したと判定した場合、ステップＳ５０８の処理に進む。ステップＳ５０８において、制御部１１０は表示部１４２によって共有セッション接続の失敗を通知し、ステップＳ５０３の処理に戻る。
【００７５】
ステップＳ５０７において、制御部１１０は共有セッション接続が成功したと判定した場合、ステップＳ５０９の処理に進み、記録部１６０に保存されているユーザが操作部１５０を介して選択したマウスポインタ画像のマウスデータを記録部１６０から読み込んで通話相手先のテレビ電話装置１００’に送信する。なお、マウスデータを送信する条件としては、ユーザ側のテレビ電話装置１００と通信相手先のテレビ電話装置１００’において同じマウスポインタ画像を表示する共有モードが予め操作部１５０によって設定されている場合である。
【００７６】
次に、ステップＳ５１０において、制御部１１０は記録部１６０に保存されているＷＥＢコンテンツページのＵＲＬデータを記録部１６０から読み込んで通話相手先のテレビ電話装置１００’に送信する。
【００７７】
そして、ステップＳ５１１において、制御部１１０はブラウザ共有動作を実行する。すなわち、表示部１４２上のブラウザにＷＥＢページを表示させ、ユーザ側のテレビ電話装置１００においてカスタマイズされたマウスポインタ画像を表示させる。また、ユーザが表示部１４２上のブラウザに表示されたＷＥＢページに対して操作部１５０を操作してスクロール操作を行えば、制御部１１０はそれに応じたスクロール制御を行うとともに、スクロール操作に対応する操作データを通話相手先のテレビ電話装置１００’に送信する。
【００７８】
ステップＳ５１２において、制御部１１０はユーザが表示部１４２上のブラウザに表示
されたＷＥＢページに対して操作部１５０を介して操作を行ったか否かを判定する。制御部１１０は操作が行われたと判定した場合、ステップＳ５１１に戻り、制御部１１０は操作が行われないと判定した場合、ブラウザの共有処理を終了する。
【００７９】
また、図５に本発明の実施例に係るブラウザ共有処理における通話相手先のテレビ電話装置１００’の動作を示す。
【００８０】
先ず、ステップＳ６０１において、制御部１１０’はユーザが操作部１５０の’操作に基づいて、ＷＥＢコンテンツページを表示させるために初期化されたブラウザを起動させ、ステップＳ６０２において、ユーザが操作部１５０’を操作してＵＲＬを入力したか否かを判定する。
【００８１】
ステップＳ６０２において、制御部１１０’はＵＲＬが入力されたと判定した場合、ステップＳ６０３の処理に進み、制御部１１０’は通常のブラウザ動作を実行する。すなわち、入力されたＵＲＬ情報に基づいてインターネット１０６に接続されたＷＥＢサーバに対してＷＥＢページのリクエストを行い、ＷＥＢサーバから所望のＷＥＢページのデータを取得して表示部１４２’上のブラウザにＷＥＢページを表示させ、テレビ電話装置１００’においてカスタマイズされたマウスポインタ画像を表示させる。一方、ステップＳ６０２において、制御部１１０’はＵＲＬが入力されなかったと判定した場合、ステップＳ６０５の処理に進む。
【００８２】
通常のブラウザ動作を実行中のステップＳ６０４において、制御部１１０’はユーザが表示部１４２’上のブラウザに表示されたＷＥＢページに対して操作部１５０’を介して操作を行ったか否かを判定する。制御部１１０’は操作が行われたと判定した場合、ステップＳ６０３の処理に戻り、操作が行われないと判定した場合、ステップＳ６０５の処理に進む。
【００８３】
ステップＳ６０５において、制御部１１０’は通話相手先のテレビ電話装置１００から共有開始操作が行われたか否かを判定する。この条件としては、通話相手先のテレビ電話装置１００から被共有データの受信要求を受信した場合に共有開始操作が行われたと判定する。共有開始操作が行われたと判定した場合、通話相手先のテレビ電話装置１００に対して被共有データの共有許可を送信し、ステップＳ６０６の処理に進む。制御部１１０’は共有開始操作が行われないと判定した場合、ブラウザの共有処理を終了する。
【００８４】
ステップＳ６０６において、制御部１１０’は再び初期化されたブラウザが起動させ、ステップＳ６０７において、通話相手先のテレビ電話装置１００からマウスデータを受信したか否かを判定する。制御部１１０’はマウスデータを受信していないと判定した場合、ステップＳ６０８において、テレビ電話装置１００’においてカスタマイズされたマウスポインタ画像を表示するように設定する。一方、ステップＳ６０７において、制御部１１０’はマウスデータを受信したと判定した場合、受信したマウスデータに基づき、ユーザ側のテレビ電話装置１００と同じマウスポインタ画像を表示するように設定する。
【００８５】
そして、ステップＳ６１０において、制御部１１０’はブラウザ共有動作を実行する。すなわち、受信したＵＲＬデータに基づき表示部１４２’上のブラウザにＷＥＢページを表示させ、ユーザ側のテレビ電話装置１００と同じマウスポインタ画像を表示させる。また、ユーザ側のテレビ電話装置１００の表示部１４２上のブラウザに表示されたＷＥＢページに対してスクロール操作が行われると、制御部１１０’はそれに応じたスクロール制御を行う。
【００８６】
ステップＳ６１１において、制御部１１０’はユーザが表示部１４２’上のブラウザに
表示されたＷＥＢページに対する操作が行われたか否かを判定する。制御部１１０’は操作が行われたと判定した場合、ステップＳ６１０に戻り、制御部１１０’は操作が行われないと判定した場合、ブラウザの共有処理を終了する。
【００８７】
上記に説明したように、本発明は、ブラウザ共有開始操作を行うと、ユーザ側のテレビ電話装置で設定したブラウザ画面の所定位置を指定するマウスポインタ画像のデータを通話相手先のテレビ電話装置に送信することにより、通話相手先のテレビ電話装置のブラウザ画面においてもユーザ側のテレビ電話装置と同じマウスポインタ画像を表示させる。これにより、ユーザが使用するテレビ電話装置においても通話相手先のテレビ電話装置においても同様のＷＥＢコンテンツページを、同一のマウスポインタ画像とともに各表示部に表示することができる。
【００８８】
また、上記実施例では、ユーザが使用するテレビ電話装置１００と通話相手先のテレビ電話装置１００’とにおけるＷＥＢコンテンツページに対する同一スクロール操作について説明したが、スクロール操作以外の画面操作についての同期制御でもよい。また、画面操作はＷＥＢコンテンツページに対するものだけではなく、画像データやテキストデータであっても構わない。
【符号の説明】
【００８９】
１００    テレビ電話装置
１０１    有線ＬＡＮ
１０２    ＩＰ電話ルータ
１０３    ブロードバンドルータ
１０４    ゲートウェイ
１０５    ＩＰ電話網
１０６    インターネット
１０７    ＰＳＴＮ網
１０８    加入者電話装置
１０９    ホームゲートウェイ
１１０    制御部
１２０    通信部
１３０    音声処理部
１３１    マイク
１３２    スピーカ
１４０    映像及び画像処理部
１４１    カメラ
１４２    表示部
１５０    操作部
１６０    記録部
１６１    メモリ
１６２    フラッシュメモリ
１７０    時計部
１８０    電源部
１８１    ＡＣアダプタ
【図１】
2013198018.tif 000003
【図２】
2013198018.tif 000004
【図３】
2013198018.tif 000005
【図４】
2013198018.tif 000006
【図５】
2013198018.tif 000007
【図６】
2013198018.tif 000008